(57)【要約】【課題】本発明は、耐磨耗性が優れた蓋体定位構造及び蓋体定位構造を用いた電子装置を提供することを目的とする。【解決手段】本発明の蓋体定位構造は、固定部材と活動部材と備え、前記固定部材は回転軸と、該回転軸の周辺に設置された第一止め部と、を備え、前記活動部材は前記回転軸に回転可能に設置されるリングと、該リングの前記固定部材に向かう一つの端面に設けられた第二止め部と、を備え、前記活動部材が固定部材に対して回転し、且つ所定の角度に回転した際、前記第一止め部が前記第二止め部と接触して、前記活動部材が前記固定部材に対して定位し、前記活動部材は金属材料によって形成された強化部も備え、該強化部はインサート成形によって形成され、前記第二止め部に設けられる。【選択図】図７
2013024419.tif 000002
【特許請求の範囲】
【請求項１】
固定部材と、活動部材と、を備え、前記固定部材は回転軸と、該回転軸の周辺に設置された第一止め部と、を備え、前記活動部材は前記回転軸に回転可能に設置されるリングと、該リングの前記固定部材に向かう一つの端面に設けられた第二止め部と、を備え、前記活動部材が固定部材に対して回転し、且つ所定の角度に回転した際、前記第一止め部が前記第二止め部と接触して、前記活動部材が前記固定部材に対して定位する蓋体定位構造において、
前記活動部材は金属材料によって形成された強化部も備え、該強化部はインサート成形によって形成され、前記第二止め部に設けられることを特徴とする蓋体定位構造。
【請求項２】
前記強化部は、前記リング内に一体的に設けられることを特徴とする請求項１に記載の蓋体定位構造。
【請求項３】
前記強化部は、第一強化端と、前記第一強化端から曲がって延伸する第二強化端と、を備え、前記第一強化端は前記リング内に一体的に設けられ、前記第二強化端は前記第二止め部内に一体的に設けられることを特徴とする請求項２に記載の蓋体定位構造。
【請求項４】
本体と、該本体に回転可能に設置される蓋体と、請求項１から３のいずれか一項に記載の蓋体定位構造と、を備えることを特徴とする電子装置。
【請求項５】
前記活動部材は複数の定位柱を備え、前記第二止め部と前記定位柱とが、前記活動部材の二つの端面にそれぞれ設置され、前記蓋体には複数の定位孔が設けられ、前記定位柱は前記蓋体の定位孔にそれぞれ設置されて、前記活動部材を前記蓋体に固定することを特徴とする請求項４に記載の電子装置。
【発明の詳細な説明】
【技術分野】
【０００１】
本発明は、蓋体定位構造、特に該蓋体定位構造を用いた電子装置に関するものである。
【背景技術】
【０００２】
従来の携帯電話、パソコン、ＰＤＡなどの折り畳み機能を持つ電子装置は、一般には、本体と、該本体に対して回転可能に設置された蓋体と、前記本体と該蓋体とを接続するヒンジ及び止め構造と、を備える。前記止め構造は、前記本体に固定された固定部材と、前記蓋体に固定された活動部材と、前記固定部材に固定された第一止め部及び前記活動部材に設けられた第二止め部と、を備える。前記蓋体は、前記本体に対して所定の角度回転した際、第一止め部と第二止め部とが接触することで、前記本体に対して所定の角度で定位する。しかし、前記第一止め部及び前記第二止め部はプラスチック材料によって形成されているため両者の耐磨耗性は低い。従って、電子装置を使用する際、前記蓋体を前記本体に対して回転させる際、前記第二止め部は前記第一止め部に衝撃を与え、前記第二止め部及び前記第一止め部両方が磨損する。これにより、電子装置を正常に使用できなくなる。
【発明の概要】
【発明が解決しようとする課題】
【０００３】
以上の問題点に鑑みて、本発明は、蓋体定位構造及び該蓋体定位構造を用いた電子装置を提供することを目的とする。
【課題を解決するための手段】
【０００４】
蓋体定位構造は、固定部材と活動部材とを備え、前記固定部材は回転軸と、該回転軸の周辺に設置された第一止め部と、を備え、前記活動部材は前記回転軸に回転可能に設置されるリングと、該リングの前記固定部材に向かう一つの端面に設けられた第二止め部と、を備え、前記活動部材が固定部材に対して回転し、且つ所定の角度に回転した際、前記第一止め部が前記第二止め部と接触して、前記活動部材が前記固定部材に対して定位し、前記活動部材は金属材料によって形成された強化部も備え、該強化部はインサート成形によって形成され、前記第二止め部に設けられる。
【０００５】
電子装置は、本体と、前記本体に回転可能に設置された蓋体と、蓋体定位構造と、を備え、前記蓋体定位構造は固定部材及び活動部材を備え、前記固定部材は回転軸と、該回転軸の周辺に固定された第一止め部と、を備え、前記活動部材は前記回転軸に回転可能に設置されたリングと、該リングの前記固定部材に向かう一つの端面に設けられた第二止め部と、を備え、前記活動部材が固定部材に対して回転し、且つ所定の角度に回転した際、前記第一止め部が前記第二止め部と接触して、前記活動部材が前記固定部材に対して定位し、前記活動部材は、金属材料によって形成された強化部も備え、前記強化部はインサート成形によって形成され、前記第二止め部に設けられる
【発明の効果】
【０００６】
本発明に係る電子装置の蓋体定位構造は、耐磨耗性が優れた材料によって形成されるので、蓋体が本体に対して回転して、第一止め部が第二止め部に対して衝撃を与えても、前記蓋体定位構造は破損しない。従って、電子装置を安定して使用することができる。
【図面の簡単な説明】
【０００７】
【図１】本発明に係る蓋体定位構造を用いた電子装置の斜視図である。
【図２】図１に示した電子装置の組立図である。
【図３】図２に示した電子装置の一部の分解図である。
【図４】図１に示した電子装置の一部の組立図である。
【図５】図４に示した電子装置の一部の分解図である。
【図６】本発明に係る蓋体定位構造の斜視図である。
【図７】図６に示した蓋体定位構造の分解図である。
【図８】図７に示した蓋体定位構造の別の視覚から見た分解図である。
【図９】図７に示した蓋体定位構造の強化部の拡大図である。
【発明を実施するための形態】
【０００８】
以下、図面に基づいて、本発明に係る蓋体定位構造及び該蓋体定位構造を用いた電子装置について詳細に説明する。
【０００９】
図１〜図３に示したように、本発明に係る電子装置は携帯電話であり、該携帯電話１００は折り畳み式である。前記携帯電話１００は、本体１０と、前記本体１０に回転可能に設置される蓋体２０と、前記本体１０と前記蓋体２０とを接続する蓋体定位構造３０（図６及び図７を参照）及びヒンジ４０と、を備える。
【００１０】
前記本体１０は、主体１２と、前記主体１２の一端に設けられた第一取り付け部１４及び該第一取り付け部１４に対向して設置された第二取り付け部１６と、を備える。前記第一取り付け部１４には、前記第二取り付け部１６に向かう一側面に、取り付け孔１４２が設けられており、前記蓋体定位構造３０は該取り付け孔１４２に取り付けられる。また、前記第二取り付け部１６には、前記ヒンジ４０が取り付けられる。
【００１１】
図４及び図５に示したように、前記蓋体２０は、折り畳み主体２２と、該折り畳み主体２２の長手方向一端に設けられた接続部２４と、を備え、前記接続部２４は前記第一取り付け部１４と前記第二取り付け部１６との間に設置される。前記接続部２４は円柱状であり、その軸方向一端には前記蓋体定位構造３０を取り付けるための第一固定孔２４２が設けられ、他端には、前記ヒンジ４０を取り付けるための第二固定孔（図示せず）が設けられている。また、前記第一固定孔２４２の底面には、前記蓋体定位構造３０を定位する複数の定位孔２４２２が設けられている。
【００１２】
図６〜図８に示したように、前記蓋体定位構造３０は、固定部材３２及び活動部材３４を備え、前記固定部材３２は前記本体１０の前記取り付け孔１４２に取り付けられ、前記活動部材３４は前記蓋体２０の前記第一固定孔２４２に取り付けられる。また、前記活動部材３４は、前記固定部材３２に対して回転可能に設置される。前記固定部材３２は金属性材料によって形成され、固定片３３２と、該固定片３３２に設けられた回転軸３２４及び該回転軸３２４の周辺に設置された第一止め部３２６と、を備える。前記活動部材３４は、リング３４２と、第二止め部３４４と、複数の定位柱３４６及び強化部３４８と、を備える。前記リング３４２は前記回転軸３２４に対して回転可能に設置され、前記第二止め部３４４は前記リング３４２の前記固定部材３２に向かう一方の端面に設けられ、複数の前記定位柱３４６は前記リング３４２の他方の端面に設けられる。前記強化部３４８はインサート成形によって、前記リング３４２内及び前記第二止め部３４４内に一体的に設けられる。また、連接孔３４２２が前記リング３４２の中央を貫通して設けられており、該リング３４２は前記連接孔３４２２を介して前記回転軸３２４に設置される。複数の前記定位柱３４６は前記蓋体２０の前記定位孔２４２２にそれぞれ挿入され、前記活動部材３４を前記蓋体２０に固定する。
【００１３】
図９に示したように、前記強化部３４８は金属材料によって形成されるため、前記強化部３４８全体の強度が高い。前記強化部３４８は、第一強化端３４８２と、前記第一強化端３４８２の一端から曲がって延伸した第二強化端３４８４と、を備える。前記第一強化端３４８２はリング状で、開口が設けられ、且つ前記リング３４２に設置されて前記リング３４２の強度を高くする。また、前記第一強化端３４８２には複数の通孔３４８６が設けられ、複数の前記定位柱３４６が対応する複数の該通孔３４８６に各々挿入される。前記第二強化端３４８４は、平板状であり、前記第二止め部３４４に嵌合されて、前記第二止め部３４４の強度を高くする。前記リング３４２及び前記第二止め部３４４はポリオキシメチレン材料によって形成される。
【００１４】
前記活動部材３４は、以下のステップによって形成される。先ず、型穴を備えた射出金型を準備し、前記強化部３４８を該型穴に固定する。次いで、前記型穴に、溶融したポリオキシメチレンを注入して前記型穴に充填させる。最後に、溶融した前記ポリオキシメチレンが冷却して固まると、前記活動部材３４が形成される。
【００１５】
本発明に係る電子装置の携帯電話１００を組み立てる際、先ず、前記固定部材３２の前記固定片３２２の前記回転軸３２４と離れている一面に接着剤を塗り、前記固定片３２２が前記第一取り付け部１４２の底面と接触するまで、前記固定部材３２を前記本体１０の前記第一取り付け部１４の取り付け孔１４２に挿入し、その後接着剤を乾燥させて、前記固定部材３２を前記第一取り付け部１４２に固定する。次いで、前記活動部材３４の前記リング３４２の一つの端面に複数の前記定位柱３４６を設けて、複数の該定位柱３４６に接着剤を塗った後、複数の前記定位柱３４６を、前記蓋体２０の前記定位孔２４２２にそれぞれ挿入し、前記活動部材３４を前記第一固定孔２４２の底面に接触させる。その後接着剤を乾燥させて、前記活動部材３４を前記第一固定孔２４２に固定する。次いで、前記蓋体２０の前記接続部２４を、前記第一取り付け部１４と前記第二取り付け部１６との間に設置する。この時、前記蓋体２０は、前記連接孔３４２２が前記回転軸３２４に回転可能に設置されることによって本体１０に接続し、最後に、道具によって、前記ヒンジ４０を前記本体１０及び前記蓋体２０に設置する。
【００１６】
前記携帯電話１００を組み立てた後、前記蓋体２０は、前記本体１０に対して回転することができる。前記本体１０の前記固定部材３２の前記第一止め部３２６と、前記蓋体２０の前記活動部材３４の前記第二止め部３４４と、が接触する際、前記蓋体２０が前記本体１０に対して回転する角度は最大となる。前記最大角度は所定の角度であり、前記蓋体２０と前記本体１０との角度が所定の角度になった際、使用者にとって、前記携帯電話１００は最も良好な使用状態となる。
【００１７】
前記携帯電話１００の蓋体定位構造３０の前記第一止め部３２６は金属性材料によって形成され、前記第二止め部３４４はポリオキシメチレンによって形成される。従って、金属性材料とポリオキシメチレンとの強度及び耐磨耗性が組み合わさって、前記蓋体２０を幾度となく開閉して、前記第一止め部３２６が前記第二止め部３４４に衝撃を与えても、前記蓋体定位構造３０は破損しない。従って、前記携帯電話１００を安定して使用することができる。また、前記ポリオキシメチレンは、摩擦係数が低く、且つ強度も高いので、前記活動部材３４の前記連接孔３４２２の内壁を滑らかにし、前記活動部材３４の前記固定部材３２に対する回転を円滑にする。
【００１８】
また、前記強化部３４８は、前記第二止め部３４４の強度を増加させるためのものであるので、強度を増加させるだけであるならば、前記強化部３４８は、前記第二止め部３４４内に一体にされる前記第二強化端３４８４のみを備えても良い。
【００１９】
以上、本発明の好適な実施形態について詳細に説明したが、本発明は前記実施形態に限定されるものではなく、本発明の範囲内で種々な変形又は修正が可能であり、該変形又は修正もまた、本発明の特許請求の範囲内に含まれるものであることは、言うまでもない。
【符号の説明】
【００２０】
１００      携帯電話
１０        本体
２０        蓋体
３０        蓋体定位構造
４０        ヒンジ
１２        主体
１４        第一取り付け部
１６        第二取り付け部
１４２      取り付け孔
２２        主体
２４        接続部
２４２      第一固定孔
２４２２    定位孔
３２        固定部材
３４        活動部材
３２２      固定片
３２４      回転軸
３２６      第一止め部
３４２      リング
３４４      第二止め部
３４６      定位柱
３４８      強化部
３４２２    連接孔
３４８２    第一強化端
３４８４    第二強化端
３４８６    通孔
【図１】
2013024419.tif 000003
【図２】
2013024419.tif 000004
【図３】
2013024419.tif 000005
【図４】
2013024419.tif 000006
【図５】
2013024419.tif 000007
【図６】
2013024419.tif 000008
【図７】
2013024419.tif 000009
【図８】
2013024419.tif 000010
【図９】
2013024419.tif 000011